(57)【特許請求の範囲】
【請求項１】
上に凸形状のフィルタキャップが装着された排水口を備える屋外床に、該フィルタキャップの上から覆って載置されるものであり、
盤状体と、該盤状体周縁部から下方に延びる側壁と、前記盤状体周縁部から上方に延びる上部壁を備え、
前記盤状体と該上部壁とで、培土を収納して植物を植生する鉢部、又はプランターカバーが構成され、
前記側壁の下縁に粗ゴミを遮断し得る切り欠きが形成され、前記側壁で囲まれた空間に、前記フィルタキャップが収まることとなり、
前記側壁に洗濯機やクーラーの排水ホースの先端が差し込まれることとなる貫通孔が形成された排水口カバー。
【請求項２】
焼き物から成る請求項１に記載の排水口カバー。
【発明の詳細な説明】
【技術分野】
【０００１】
本発明は屋外床に設置される排水口カバーに関する。
【背景技術】
【０００２】
屋外床は通常コンクリート打ちはなしのものが多いが、近年はその打ちはなしの床面に装飾用のタイルを敷設して美観を向上させることが行なわれる。特に、入居後にそのような目的のタイルを単に載置して敷詰めることがしばしば行なわれる。
【０００３】
しかし、このような入居事後のタイルの敷設は、非専門家の住人により行なわれることが多いので、床の排水口の部分をとり残して行なわれる。このため、このとり残された排水口の部分が美観を損ねることとなる。特に排水口に装着された粗ごみ濾し用のフィルタが、碗を伏せた形状の籠状であると、そのフィルタがタイルの敷設後もむきだしになるので排水口の部分が美観を損ねる。
【０００４】
建物と、バルコニーの前梁との間の基礎体にデッキ材を載置させた構成においては、排水口に排水を導くための排水溝や、排水口と排水溝との接続部をデッキ材と着脱自在に組み合わせて一つの構造体として美観を維持することが開示されている（例えば、特許文献１、２参照。）。
【０００５】
しかし、これらの方式は、入居事後に既製の床面にタイルの敷設が非専門家の住人によりなされた場合は適用できずこの問題に根本から対処する技術は見当たらない。
【特許文献１】特開２００１−４９８４９号公報（特許請求の範囲）
【特許文献２】特開２００１−１３２２１１号公報（特許請求の範囲）
【発明の開示】
【発明が解決しようとする課題】
【０００６】
本発明は、これら問題点に鑑みタイルの敷設後に取り残された排水口まわりの部分の美観を向上させることの出来る排水口カバーを提供しようとする。
【課題を解決するための手段】
【０００７】
本発明の要旨とするところは、排水口を備える屋外床に、該排水口の上から覆って載置されるものであり、
盤状体と、該盤状体周縁部から下方に延びる側壁とを備え、
前記側壁の下縁に粗ゴミを停止し得る切り欠きが形成され、前記側壁で囲まれた空間に、前記排水口が収まることとなる、排水口カバーであることにある。
【０００８】
本発明の別の要旨とするところは、前記排水口が、フィルタキャップが装着され得るものであり、
前記側壁で囲まれた空間に、該フィルタキャップを備える前記排水口が収まることとなる、排水口カバーであることにある。
【０００９】
前記切り欠きは微細ゴミを停止し得る濾過手段を備え得る。
【００１０】
前記盤状体が、前記盤状体周縁部から上方に延びる上部壁を更に備え、
前記盤状体と該上部壁とで、培土を収納して植物を植生する鉢部、又はプランターカバーが構成され得る。
【００１１】
前記側壁には貫通孔が形成され得る。
【００１２】
前記排水口カバーは焼き物から成り得る。
【発明の効果】
【００１３】
本発明により、タイルの敷設後に取り残された床面の排水口まわりの部分の美観を向上させることの出来る排水口カバーが提供される。
【００１４】
本発明により、タイルの敷設後に取り残された床面の排水口まわりの部分の美観を多額の費用をかけずに向上させることが出来る。
【００１５】
本発明により、切り欠きで粗ゴミを除去でき、排水口が詰まりにくくなるとともに排水口の清掃も容易となる。また、切り欠きに濾過手段を備えることにより、微細ゴミも除去出来る。
【００１６】
本発明により、屋外建屋排水口に、居住用機器からの排水導管の排水排出端をその周囲の美観を損なうことなく接続出来る。
【００１７】
本発明を焼き物で作製することにより、耐候性、非腐食性、成形の効率の面で非常に優れた排水口カバーを得ることが出来る。
【発明を実施するための最良の形態】
【００１８】
本発明に係る最も好ましい態様を図面に基づいて詳しく説明する。なお、本明細書においては、各図にわたって記される同じ符号は同一又は同様の部材やものを示す。
【００１９】
図１は本発明の排水口カバー２の態様を示す斜視模式図であり、排水口カバー２は、盤状体４と盤状体周縁部６から下方に延び、軸方向に拡径する筒状をなす側壁８と、盤状体周縁部６から上方に延びる上部壁１０とを備え、盤状体４と上部壁１０とで培土１２を収納して植物を植生する鉢部１４が構成され、側壁８の下縁１６に上向きに切り欠き１８が形成されて成る。盤状体４の中央には貫通穴３６が形成されている。ここで、盤状体周縁部６には、盤状体４の外周縁の端部のみならず、外周縁から若干内側の部分も含まれ、外周縁の内側の部分から下方に側壁８が延びた態様、及び／又は上方に上部壁１０が延びた態様も含まれることを意味する。なお、以下に示す態様においても同様に解する。
【００２０】
排水口カバー２は、図２の縦断面図に示すように、碗あるいは皿を伏せたような、床面から上方に凸状に突出する形状の籠状のフィルタキャップ２２が装着された排水口２４、を備える屋外床２６に、フィルタキャップ２２の上から覆って載置される。屋外床２６の排水口２４の周辺部を除いた面にはタイル３０が敷かれている。排水口２４は屋外床２６に埋設の排水管２５の上方出口であり、屋外床２６の面とほぼ面一である。培土１２には植木３２が植生される。
【００２１】
フィルタキャップ２２の形状の例としては、例えば、特開平８−３５２９９図１、２に記載のドレーン取水カバーのような皿をふせた形状や、同じく特開平８−３５２９９図６、７に記載の半球を伏せた形状が挙げられる。
【００２２】
これにより、側壁８で囲まれた空間３４に、フィルタキャップ２２が収まり、むきだしのフィルタキャップ２２が排水口カバー２で覆われて、むきだしのフィルタキャップ２２と、その周辺部のタイル３０が敷かれていない屋外床２６のむきだしの部分の美観が回復する。
【００２３】
又、切り欠き１８により落葉等の粗いごみがフィルタキャップ２２に到達するまえに遮断されるので、フィルタキャップ２２が詰まりにくくなるとともに、清掃も容易となる。
【００２４】
側壁８のサイズは空間３４を形成出来るサイズであればよく、通常、周径が１０〜３０ｃｍ、高さが５〜３０ｃｍであることが美観上好ましいが、この範囲に限定されない。
【００２５】
切り欠き１８の大きさは、落葉等の粗いごみを遮断するサイズであればよいが、切り込み深さが１〜１０ｃｍ、幅が０．５〜２ｃｍであることが美観上好ましい。
【００２６】
また、切り欠き１８が形成された側壁８の内側又は外側、或いは切り欠き１８の内部には、濾過手段２０が設けられてもよい（図３参照）。例えば、切り欠き１８に、不織布、金網等から成る濾過手段２０を予め貼着或いは嵌合させておくことによって、落葉等の粗ゴミはもちろん、砂利や埃等の微細なゴミも遮断することができ、フィルタキャップ２２の目詰まり防止効果が高まるとともに、清掃も更に容易となる。
【００２７】
側壁８は、盤状体４の輪郭の形状にあわせた筒状（図４参照）又は軸方向に径が変わる筒状である。即ち、円筒状、截頭円錐台状、四角筒状、四角錐台状等であってよい。あるいは、典型的な筒状でなく、芸術的にデフォルメされた形状、横断面形状がＤ型形状等であっても、空間３４を形成出来る形状であればよい。特に、排水口２４が建物、バルコニー等の外壁に近接して設置されている場合には、側壁８の横断面形状をＤ型形状とすることによって、外壁と排水口カバーとの一体感が増し、美観上好ましい。なお、これらの形状は鉢部１４を構成する上部壁１０についても適用することが出来る。
【００２８】
更に、側壁８は必ずしも筒状である必要はなく、図５（ａ）の縦断面図、同図（ｂ）の横断面図に示すような、側壁８の一部に開放部３８を備えた、横断面形状がＣ型形状の排水口カバー２ａであってもよい。Ｃ型形状とすることによって、フィルタキャップ２２の周辺部に側壁８を載置するスペースが十分に確保できない場合に好適に使用することが出来る。
【００２９】
排水口カバー２、２ａの材質は樹脂、木、金属等特に問わないが、耐候性、非腐食性、成形の効率の面で焼き物であることが好ましい。又、焼き物は表面に装飾性の絵柄を焼き付けることが出来るので、屋外装飾用に適しかつ敷設されたタイルの色柄にマッチさせた絵柄とすることが出来るので好ましい。又、表面に絵柄が凹凸で形成されてもよい。凹凸の絵柄も焼き物であれば容易に形成することが出来る。
【００３０】
側壁８には、図６に示すような貫通孔４０が形成されていることが好ましい。図７に示すように、貫通孔４０に、洗濯機の排水ホース４２の先端を差し込むことにより、洗濯排水を床面に撒き散らすことなく排水口２４に導入することが出来る。貫通孔４０にはクーラーのドレン排水用の排水ホースの先端を差し込んでもよい。これにより、タイルを敷設したにもかかわらずクーラーのドレン排水で屋外床が見苦しく濡れた状態になることが防止される。貫通孔４０は複数個形成されてもよい。
【００３１】
本発明の排水口カバーは培土１２により重量が付加されて床面に安定して載置出来るので、屋外に設置し風や小動物により倒されにくく、床面あるいは排水口部と特別の固定具を用いて固定する必要がなく、設置に手間と費用を要しない。
【００３２】
本発明の排水口カバーは通常の床に載置して植木鉢として使用することも出来るので、複数の本発明の排水口カバーにそれぞれ植生して、排水口の上に１個を選択して載置し、植生された植物の種類や排水口カバーの形状、絵柄と排水口カバーの配置を楽しみながら順次交換することも出来る。
【００３３】
以上本発明の排水口カバーについて、鉢部を備える態様を説明したが、本発明の排水口カバーは鉢部を備える態様に限定されるものではない。つまり、図１に示した排水口カバー２において、盤状体４と、盤状体４の盤状体周縁部６から下方に延びる側壁とから構成される排水口カバー２ｂであってもよい。これにより、排水口カバー２と同様、むきだしのフィルタキャップ２２と、その周辺部のタイル３０が敷かれていない屋外床２６のむきだしの部分の美観が回復するとともに、盤状体４の上面には既存の植木鉢を載置することが可能となる。
【００３４】
以上本発明の排水口カバーの態様を説明したが、本発明はその趣旨を逸脱しない範囲で、当業者の知識に基づき種々の改良、修正、変形を加えた態様で実施し得るものであり、例えば、排水口カバー２、２ａでは、盤状体４と上部壁１０とで鉢部１４が構成されているが、鉢部１４をプランターカバーとして使用することも可能である。プランターカバーとして使用すれば植物を植え替える手間が省け、容易に種々の植物を楽しむことが出来る。なお、プランターカバーとする態様においては必ずしも貫通穴３６を形成する必要はない。
【００３５】
又、本発明の排水口カバーは、フィルタキャップ２２が装着された排水口２４において好適に使用され得るが、フィルタキャップ２２が装着されていない排水口にも当然に使用することが可能である。特に、フィルタキャップ２２が装着されていない排水口では、配水管２５（図２参照）内にゴミが進入し易いが、排水口カバーを載置することにより、排水口周辺の美観が向上されるとともに、切り欠き１８や濾過手段２０でゴミを遮断して配水管２５内へのゴミの進入を防止することができ、これらの態様はいずれも本発明の範囲に属するものである。
【産業上の利用可能性】
【００３６】
本発明の排水口カバーは、家庭のベランダのみならず、ビルの屋上の排水口にも適用され、屋上緑化に寄与する。
【図面の簡単な説明】
【００３７】
【図１】本発明の排水口カバーの態様の一例を示す斜視模式図である。
【図２】図１に示す排水口カバーが床面に載置された状態を示す断面模式図である。
【図３】本発明に係る切り欠きが濾過手段を備える態様の一例を示す斜視模式図である。
【図４】本発明の排水口カバーの他の態様の一例を示す斜視模式図である。
【図５】（ａ）は本発明の排水口カバーの更に他の態様の一例を示す縦断面図、（ｂ）は（ａ）におけるＡ−Ａ’線断面図である。
【図６】本発明の排水口カバーの更に別の態様の一例を示す斜視模式図である。
【図７】図４に示す排水口カバーに排水ホースの先端部が装着された状態を示す断面模式図である。
【符号の説明】
【００３８】
２、２ａ：排水口カバー
４：盤状体
８：側壁
１０：上部壁
１２：培土
１４：鉢部
１８：切欠き
３６：貫通穴
２０：濾過手段
２２：フィルタキャップ
２４：排水口
２６：屋外床
４０：貫通孔
【図１】
0004691717.tif 000002
【図２】
0004691717.tif 000003
【図３】
0004691717.tif 000004
【図４】
0004691717.tif 000005
【図５】
0004691717.tif 000006
【図６】
0004691717.tif 000007
【図７】
0004691717.tif 000008